(57)【要約】【課題】光路に対する光学フィルタのガタつきに起因する光学性能の低下を抑制すること。【解決手段】光路上に配置される光学フィルタ２１１と、光学フィルタ２１１を保持するフィルタ保持枠２１２と、フィルタ保持枠２１２を支持するマウント部材２１３と、光学フィルタ２１１とマウント部材２１３との間で、光学フィルタ２１１をフィルタ保持枠２１２に押しつける付勢力を作用させる付勢部材の一例としてのガタつき防止部材２１４と、を備えたことを特徴とし、光学フィルタ２１１を付勢することによって、光学フィルタ２１１とともに当該光学フィルタ２１１を保持するフィルタ保持枠２１２を付勢することができ、これにより光学フィルタ２１１およびフィルタ保持枠２１２のマウント部材２１３に対する位置を固定するようにした。【選択図】図５
2010032831.tif 000002
【特許請求の範囲】
【請求項１】
光路上に配置される光学フィルタと、
前記光学フィルタを保持するフィルタ保持枠と、
前記フィルタ保持枠を支持する支持部材と、
前記光学フィルタと前記支持部材との間で、前記光学フィルタを前記フィルタ保持枠に押しつける付勢力を作用させる付勢部材と、
を備えたことを特徴とする光学フィルタ保持機構。
【請求項２】
前記付勢部材は、所定の弾性を有する弾性部材を、前記付勢部材による付勢方向に沿って突出するように湾曲あるいは屈曲させることによって形成され、湾曲あるいは屈曲された一部が前記支持部材に当接し、別の一部が前記光学フィルタに当接するように設けられていることを特徴とする請求項１に記載の光学フィルタ保持機構。
【請求項３】
前記付勢部材は、光軸に交差する面内における任意の一方向および光軸方向の少なくとも一方向に沿って突出するように湾曲あるいは屈曲させることによって形成されていることを特徴とする請求項２に記載の光学フィルタ保持機構。
【請求項４】
前記付勢部材は、所定の直径の針金状部材を湾曲あるいは屈曲させることによって形成されていることを特徴とする請求項１〜３のいずれか一つに記載の光学フィルタ保持機構。
【請求項５】
光路上に配置される光学フィルタと、
前記光学フィルタを保持するフィルタ保持枠と、
前記フィルタ保持枠を支持する支持部材と、前記光学フィルタと前記支持部材との間で、前記光学フィルタを前記フィルタ保持枠に押しつける付勢力を作用させる付勢部材と、
前記光路上に設けられて、外光を前記光学フィルタに入射させるレンズと、
を備えたことを特徴とするレンズ装置。
【請求項６】
撮像用の光電変換素子と、
前記光電変換素子に外光を入射させる請求項５に記載のレンズ装置と、
を備えたことを特徴とする撮像装置。
【発明の詳細な説明】
【技術分野】
【０００１】
この発明は、光学性能を調整する光学フィルタを備えた光学フィルタ保持機構、当該光学フィルタ保持機構を備えたレンズ装置および当該レンズ装置を備えた撮像装置に関する。
【背景技術】
【０００２】
近年、デジタルカメラなどの撮像装置に対する小型化の要望が高く、撮像装置の小型化にともなって当該撮像装置に搭載されるレンズ装置の小型化の必要性が高まっている。撮像装置が備えるレンズ装置には、レンズ装置を通過する光の光学性能を調整する光学フィルタを備えたものがある。光学フィルタは、具体的には、たとえば赤外線の通過を遮断するＩＲカットフィルタなどが挙げられる。ＩＲカットフィルタなどの光学フィルタは、たとえば所定のマウント部材に支持されたフィルタ保持枠に保持されている。光学フィルタのサイズは、レンズ装置の小型化にともなって小型化する必要性が高まっている。
【０００３】
従来、たとえば光学フィルタを当該光学フィルタを保持するフィルタ保持部材に接着剤を用いて固定することで、光軸を中心とする円の半径方向（以下「光学フィルタの外周方向」という）における光学フィルタのガタつき、および、光軸方向（スラスト方向）における光学フィルタのガタつきを防止するようにした技術があった。光学フィルタの外周方向および光軸方向（スラスト方向）における光学フィルタのガタつきを防止することにより、光学フィルタの有効範囲をレンズ装置の光路上に確実に位置付けることができる。
【０００４】
また従来、たとえば、フィルタ保持枠に設けたツメ部材が有する弾性を利用して当該ツメ部材を光学フィルタの端部に係合させることによって、ツメ部材によってフィルタ保持枠に光学フィルタを固定するようにした技術があった（たとえば、下記特許文献１、２、３を参照。）。このような従来の技術においては、フィルタ保持枠の成型に用いた樹脂材料が有する弾性を利用してツメ部材を弾性変形させることによって、光学フィルタをフィルタ保持枠に固定している。
【０００５】
【特許文献１】特開２００５−３０９０５１号公報
【特許文献２】特開２００２−２８１４００号公報
【特許文献３】特開２００２−１８９１５８号公報
【発明の開示】
【発明が解決しようとする課題】
【０００６】
しかしながら、上述した従来の技術では、光学フィルタをフィルタ保持枠に取り付けることによってフィルタ保持枠に対する光フィルタの位置を固定することができるが、所定のマウント部材に対するフィルタ保持枠のガタつきが生じている場合、フィルタ保持枠に対する光学フィルタの位置を固定するだけでは光路に対する光学フィルタの位置を固定しきることができずに、光学フィルタの有効範囲がレンズ装置の光路上からずれてしまい、レンズ装置あるいは当該レンズ装置を搭載する撮像装置の光学性能が低下するという問題があった。
【０００７】
また、上述した従来の技術のように、接着剤を用いて光学フィルタをフィルタ保持枠に取り付ける場合、光学フィルタの外周方向および光軸方向（スラスト方向）における光学フィルタのガタつきを防止することができるが、ツメを利用して光学フィルタをフィルタ保持枠に取り付ける場合と比較して、作業工程数が多くなるという問題があった。また、たとえば接着剤を用いて光学フィルタをフィルタ保持枠に取り付ける場合は組み立てに際しての柔軟性が低く、一旦光学フィルタをフィルタ保持枠に取り付けた後は、取り付け位置を調整したり、取り付け作業をやり直したりすることができないという問題があった。
【０００８】
また、上述した従来の技術のように、フィルタ保持枠に設けられたツメ部材を利用して光学フィルタを固定する場合、フィルタ保持枠における十分な強度を確保するためにフィルタ保持枠が大きくなる傾向がある。このため、このようなフィルタ保持枠を備えたレンズ装置あるいは当該レンズ装置を備えた撮像装置が大型化し、レンズ装置および撮像装置の小型化が困難になるという問題があった。さらに、光学フィルタを固定するツメ部材をフィルタ保持枠に一体的に成型した場合、フィルタ保持枠の構造が複雑化して大型化するとともに、フィルタ保持枠の製造が煩雑化し、フィルタ保持枠の製造にかかるコストが増加してしまうという問題があった。
【０００９】
この発明は、上述した従来技術による問題点を解消するため、光路に対する光学フィルタのガタつきに起因する光学性能の低下を抑制することができる光学フィルタ保持機構、当該光学フィルタ保持機構が保持する光学フィルタを備えたレンズ装置および当該レンズ装置を備えた撮像装置を提供することを目的とする。
【００１０】
また、この発明は、大型化や構造の複雑化をともなうことなく光路に対する光学フィルタのガタつきに起因する光学性能の低下を抑制することができる光学フィルタ保持機構、当該光学フィルタ保持機構が保持する光学フィルタを備えたレンズ装置および当該レンズ装置を備えた撮像装置を提供することを目的とする。
【課題を解決するための手段】
【００１１】
上述した課題を解決し、目的を達成するため、この発明にかかる光学フィルタ保持機構は、光路上に配置される光学フィルタと、前記光学フィルタを保持するフィルタ保持枠と、前記フィルタ保持枠を支持する支持部材と、前記光学フィルタと前記支持部材との間で、前記光学フィルタを前記フィルタ保持枠に押しつける付勢力を作用させる付勢部材と、を備えたことを特徴とする。
【００１２】
この発明によれば、光学フィルタを付勢することによって、光学フィルタとともに当該光学フィルタを保持するフィルタ保持枠を付勢することができ、これにより光学フィルタおよびフィルタ保持枠の支持部材に対する位置を固定することができる。これによって、光学フィルタと支持部材との間に付勢部材を設けるという簡易な構成かつ容易な作業によって、光路に対する光学フィルタのガタつきを防止することができる。
【００１３】
また、この発明にかかる光学フィルタ保持機構は、上記の発明において、前記付勢部材が、所定の弾性を有する弾性部材を、前記付勢部材による付勢方向に沿って突出するように湾曲あるいは屈曲させることによって形成され、湾曲あるいは屈曲された一部が前記支持部材に当接し、別の一部が前記光学フィルタに当接するように設けられていることを特徴とする。
【００１４】
この発明によれば、所定の弾性を有する弾性部材において湾曲あるいは屈曲された一部を支持部材と光学フィルタとの間で変形させ、当該変形によって生じる復元力によって光学フィルタをフィルタ保持枠に押しつける付勢力を作用させることができる。これによって、弾性部材を湾曲あるいは屈曲させるという簡易な構成によって実現される付勢部材により、光路に対する光学フィルタのガタつきを防止することができる。
【００１５】
また、この発明にかかる光学フィルタ保持機構は、上記の発明において、前記付勢部材が、光軸に交差する面内における任意の一方向および光軸方向の少なくとも一方向に沿って突出するように湾曲あるいは屈曲させることによって形成されていることを特徴とする。この発明によれば、光軸に交差する面内における任意の一方向および光軸方向の少なくとも一方向において、光路に対する光学フィルタのガタつきを、簡易な構成によって実現される付勢部材によって防止することができる。
【００１６】
また、この発明によれば、特に付勢部材が、光軸に交差する面内における任意の一方向および光軸方向に沿ってそれぞれ突出するように湾曲あるいは屈曲させることによって形成されている場合に、光軸に交差する面内における任意の一方向および光軸方向の２方向において、光路に対する光学フィルタのガタつきを、簡易な構成によって実現される付勢部材を用いて防止することができる。
【００１７】
また、この発明にかかる光学フィルタ保持機構は、上記の発明において、前記付勢部材が、所定の直径の針金状部材を湾曲あるいは屈曲させることによって形成されていることを特徴とする。この発明によれば、付勢部材を容易かつ簡易な構成によって実現することができる。
【００１８】
また、この発明にかかるレンズ装置は、光路上に配置される光学フィルタと、前記光学フィルタを保持するフィルタ保持枠と、前記フィルタ保持枠を支持する支持部材と、前記光学フィルタと前記支持部材との間で、前記光学フィルタを前記フィルタ保持枠に押しつける付勢力を作用させる付勢部材と、前記光路上に設けられて、外光を前記光学フィルタに入射させるレンズと、を備えたことを特徴とする。この発明によれば、光路に対する光学フィルタのガタつきを防止することにより安定した光学性能を発揮するレンズ装置を得ることができる。
【００１９】
また、この発明にかかる撮像装置は、撮像用の光電変換素子と、前記光電変換素子に外光を入射させる上記のレンズ装置と、を備えたことを特徴とする。この発明によれば、光路に対する光学フィルタのガタつきを防止することにより安定した光学性能を発揮する撮像装置を得ることができる。
【発明の効果】
【００２０】
この発明にかかる光学フィルタ保持機構、レンズ装置および撮像装置によれば、光路に対する光学フィルタのガタつきを防止することができるという効果を奏する。これによって、光路に対する光学フィルタのガタつきに起因する光学性能の低下を抑制することができる。
【発明を実施するための最良の形態】
【００２１】
以下に添付図面を参照して、この発明にかかる光学フィルタ保持機構、レンズ装置および撮像装置の好適な実施の形態を詳細に説明する。
【００２２】
（実施の形態１）
まず、この発明にかかる実施の形態１のレンズ装置について説明する。図１、図２および図３は、この発明にかかる実施の形態１のレンズ装置を示す説明図である。図１においては、この発明にかかる実施の形態１のレンズ装置を対物側から見た斜視状態を示している。図２においては、この発明にかかる実施の形態１のレンズ装置を分解して対物側から見た斜視状態を示している。図３においては、この発明にかかる実施の形態１のレンズ装置を、光軸を通り光軸に平行な平面で切断した断面を示している。
【００２３】
図１、図２および図３において、この発明にかかる実施の形態１のレンズ装置１００は、鏡筒１０１を備えている。鏡筒１０１は、略筒形状からなり、接眼側および対物側となる端部に設けられて、鏡筒１０１の内部を外部に開放する開口を備えている。図２における符号２０１は、接眼側および対物側となる端部に設けられた２つの開口のうち、対物側に設けられた開口を示している。鏡筒１０１は、たとえば角筒形状からなる。また鏡筒１０１は、たとえば円筒形状からなっていてもよい。鏡筒１０１は、接眼側となる端部に設けられた開口を図示を省略する撮像装置本体に対向させた状態で、当該撮像装置本体に取り付けられる。
【００２４】
撮像装置本体内には、撮像用の光電変換素子すなわち撮像素子が配置されている。撮像素子は、レンズ装置１００を介して入射した外光を光電変換し、入射光量に応じた電気信号を出力する。撮像素子は、具体的には、たとえばＣＣＤイメージセンサ（Ｃｈａｒｇｅ  Ｃｏｕｐｌｅｄ  Ｄｅｖｉｃｅ  Ｉｍａｇｅ  Ｓｅｎｓｏｒ）やＣＭＯＳ（Ｃｏｍｐｌｅｍｅｎｔａｒｙ  Ｍｅｔａｌ  Ｏｘｉｄｅ  Ｓｅｍｉｃｏｎｄｕｃｔｏｒ）イメージセンサなどの固体撮像素子によって実現することができる。
【００２５】
開口２０１あるいは開口２０１の近傍には、レンズ３０１を備えたレンズ枠１０２が取り付けられる。また、鏡筒１０１の内周側には、レンズ３０２を備えたレンズ枠２０２およびレンズ３０３を備えたレンズ枠２０３が設けられている。レンズ枠１０２、２０２、２０３は、それぞれ、光軸方向に沿って対物側から順番に、レンズ枠１０２、レンズ枠２０２、レンズ枠２０３の順に配列されている。レンズ枠１０２、２０２、２０３の外周部分は、それぞれ、レンズ３０１、３０２、３０３以外の箇所において光の通過を遮断するように、鏡筒１０１の内周面に当接あるいは近接している。
【００２６】
鏡筒１０１の内周側において、レンズ枠２０２とレンズ枠２０３との間には、ＩＲＩＳユニット２０４が設けられている。ＩＲＩＳユニット２０４は、絞り開口形成部２０４ａとアイリスモータ２０４ｂとを備えている。絞り開口形成部２０４ａは、絞り開口を形成する複数枚の絞り羽根（図示を省略する）を備えている。絞り開口形成部２０４ａは、たとえば２枚の絞り羽根を備えており、各絞り羽根をそれぞれ相反する方向にスライドさせることによって絞り開口の大きさを調整し、ＩＲＩＳユニット２０４を通過する光量を調整することができる。
【００２７】
アイリスモータ２０４ｂは、２枚の絞り羽根を相反する方向に移動させる駆動力を発生する。ＩＲＩＳユニット２０４は、鏡筒１０１内に入射した光量に応じてアイリスモータ２０４ｂを駆動して絞り羽根をスライドさせ、絞り開口形成部２０４ａにおける絞り開口の開口径を変化させる。ＩＲＩＳユニット２０４は、複数枚の絞り羽根に代えて、開口径が固定された絞り開口を有する板状部材を備えた構成であってもよい。
【００２８】
鏡筒１０１の内周側において、レンズ枠２０３よりも接眼側には、光学フィルタ保持機構２１０が設けられている。光学フィルタ保持機構２１０は、光学フィルタ２１１を備えている。光学フィルタ２１１は、具体的には、たとえばＩＲカットフィルタなどを用いることができる。ＩＲカットフィルタは、可視光を透過し赤外光を吸収する。光学フィルタ保持機構２１０は、光学フィルタ２１１を保持するフィルタ保持枠２１２と、当該フィルタ保持枠２１２を支持するマウント部材２１３と、を備えている。この実施の形態１においては、マウント部材２１３によって支持部材を実現することができる。
【００２９】
この実施の形態においては、マウント部材２１３によってフィルタ保持枠２１２を支持する支持部材を実現するようにしたが、これに限るものではない。たとえばフィルタ保持枠２１２を鏡筒１０１によって支持する構造であれば鏡筒１０１によって支持部材を実現することができる。さらに、たとえばズームレンズ装置に用いられる鏡筒などのように、光軸方向に沿って複数の筒状部材を連結することによって構成されている鏡筒においては、ズーム調整時に撮像装置本体に対して変位しない固定筒によってフィルタ保持枠２１２を支持する構造のレンズ装置であれば、固定筒によって支持部材を実現することができる。
【００３０】
また、たとえばレンズ枠１０２、レンズ枠２０２、レンズ枠２０３などのようにレンズを保持するレンズ枠によってフィルタ保持枠２１２を支持する構造であれば、該当するレンズ枠によって支持部材を実現することができる。フィルタ保持枠２１２は、たとえばＩＲＩＳユニット２０４によって保持してもよく、この場合はＩＲＩＳユニット２０４によって支持部材を実現することができる。支持部材を実現する部材は上記に限定されるものではなく、レンズ装置が備えるその他の部材によって支持部材を実現してもよい。
【００３１】
また光学フィルタ保持機構２１０は、光学フィルタ２１１のガタつきを防止するためのガタつき防止部材２１４を備えている。この実施の形態１においては、ガタつき防止部材２１４によって付勢部材を実現することができる。フィルタ保持枠２１２、マウント部材２１３およびガタつき防止部材２１４については後述する。
【００３２】
図４、図５および図６は、この発明にかかる実施の形態１の光学フィルタ保持機構２１０を示す説明図である。図４においては、この発明にかかる実施の形態１の光学フィルタ保持機構２１０を対物側から見た斜視状態を示している。図５においては、この発明にかかる実施の形態１の光学フィルタ保持機構２１０を分解して対物側から見た斜視状態を示している。図６においては、この発明にかかる実施の形態１の光学フィルタ保持機構２１０を対物側から見た平面図を示している。
【００３３】
図４、図５および図６において、光学フィルタ２１１は、フィルタ保持枠２１２が備える光学フィルタガイド部材４０１によってフィルタ保持枠２１２に取り付けられている。光学フィルタガイド部材４０１は、略平板形状からなるフィルタ保持枠本体５０１に設けられている。フィルタ保持枠本体５０１は、光学フィルタ保持機構２１０に入射した光を通過させる開口５０２を備えている。
【００３４】
光学フィルタガイド部材４０１は、開口５０２の外周側においてフィルタ保持枠本体５０１から突出し、光学フィルタ２１１の端部を覆うように先端が屈曲した形状からなる。光学フィルタガイド部材４０１は、光軸に直交する面内において、光学フィルタ２１１を間にして対向配置されている。光学フィルタガイド部材４０１の先端は、互いに対向する光学フィルタガイド部材４０１に向かって、すなわち開口５０２側に向かって屈曲している。
【００３５】
フィルタ保持枠２１２は、フィルタ保持枠本体５０１に対する光学フィルタ２１１の位置を定める光学フィルタ規制部材５０３を備えている。光学フィルタ規制部材５０３は、フィルタ保持枠本体５０１において、光学フィルタガイド部材４０１によってガイドされながら、光学フィルタガイド部材４０１の間をスライド移動する光学フィルタ２１１に当接する位置に設けられている。光学フィルタ規制部材５０３は、光学フィルタガイド部材４０１の間をスライド移動する光学フィルタ２１１の一端に当接して光学フィルタ２１１の端部の位置を固定することで、フィルタ保持枠本体５０１に対する光学フィルタ２１１の位置を定めることができる。
【００３６】
フィルタ保持枠２１２は、マウント部材２１３が備えるフィルタ保持枠ガイド部材５０４によってマウント部材２１３に取り付けられている。フィルタ保持枠ガイド部材５０４は、略平板形状からなるマウント部材本体５０５に設けられている。マウント部材本体５０５は、光学フィルタ保持機構２１０に入射した光を通過させる開口５０６を備えている。フィルタ保持枠ガイド部材５０４は、開口５０６の外周側においてマウント部材本体５０５から突出するように設けられている。
【００３７】
フィルタ保持枠ガイド部材５０４は、光軸に直交する面内において、光学フィルタガイド部材４０１の対向方向に直交する方向において対向している。これにより、フィルタ保持枠２１２に対する光学フィルタ２１１の挿入方向と、フィルタ保持枠ガイド部材５０４の間におけるフィルタ保持枠２１２のスライド移動方向と、を異ならせることができる。すなわち、図４における紙面上下方向における光学フィルタ２１１の移動を光学フィルタガイド部材４０１によって抑制しつつ、図４における紙面左右方向におけるフィルタ保持枠２１２のスライド移動をフィルタ保持枠ガイド部材５０４によって抑制することができる。
【００３８】
マウント部材２１３は、マウント部材本体５０５に対するフィルタ保持枠２１２の位置を定めるフィルタ保持枠規制部材５０７を備えている。フィルタ保持枠規制部材５０７は、マウント部材本体５０５において、フィルタ保持枠ガイド部材５０４によってガイドされながら、フィルタ保持枠ガイド部材５０４の間をスライド移動するフィルタ保持枠２１２に当接する位置に設けられている。フィルタ保持枠規制部材５０７は、フィルタ保持枠ガイド部材５０４の間をスライド移動するフィルタ保持枠２１２の一端に当接してフィルタ保持枠２１２の端部の位置を固定することで、マウント部材本体５０５に対するフィルタ保持枠２１２の位置を定めることができる。
【００３９】
ガタつき防止部材２１４は、光軸に直交する面内において、フィルタ保持枠２１２によって保持された光学フィルタ２１１と、マウント部材２１３におけるフィルタ保持枠ガイド部材５０４と、の間に設けられている。ガタつき防止部材２１４は、詳細には光軸に直交する面内において、光学フィルタ２１１における光学フィルタ規制部材５０３とは反対側の端部と、当該端部側に設けられたフィルタ保持枠ガイド部材５０４と、の間に設けられている。
【００４０】
ガタつき防止部材２１４は、金属材料によって形成された針金状の部材を、光学フィルタおよびフィルタ保持枠ガイド部材５０４に当接するように屈曲させた波形の形状からなる。具体的には、ガタつき防止部材２１４は、マウント部材２１３に対するフィルタ保持枠２１２の挿入方向において、光学フィルタ２１１およびフィルタ保持枠ガイド部材５０４に交互に当接するように、光学フィルタ２１１側およびフィルタ保持枠ガイド部材５０４側に交互に波形に突出した形状からなる。
【００４１】
この実施の形態１においては、光学フィルタ２１１に対して２カ所で当接し、マウント部材２１３に対するフィルタ保持枠２１２の挿入方向における光学フィルタ２１１に対する当接箇所の間でフィルタ保持枠ガイド部材５０４に当接するように、光学フィルタ２１１側に向かって２カ所およびフィルタ保持枠ガイド部材５０４側に向かって１カ所突出した、波形の形状からなる。
【００４２】
光学フィルタ２１１側およびフィルタ保持枠ガイド部材５０４側に向かって突出する屈曲部分は、それぞれ、光軸に直交する面内において、マウント部材２１３に対するフィルタ保持枠２１２の挿入方向に対して傾斜した形状をなしている。具体的には、たとえば光学フィルタ２１１側およびフィルタ保持枠ガイド部材５０４側に向かって突出する屈曲部分は、光軸に直交する面内におけるマウント部材２１３に対するフィルタ保持枠２１２の挿入方向に対して、それぞれ、角度θ１、θ２をもって傾斜している。角度θ１、θ２は、レンズ装置１００の設計時などに任意に設定することが可能とするとよい。
【００４３】
ガタつき防止部材２１４の両端は光学フィルタガイド部材４０１に設けられた孔５０８に挿入されており、これによってフィルタ保持枠２１２に対するガタつき防止部材２１４の位置が固定されている。孔５０８は、マウント部材２１３に対するフィルタ保持枠２１２の挿入方向に、光学フィルタガイド部材４０１を貫通する略円形からなる。孔５０８の開口径は、ガタつき防止部材２１４を構成する針金状の部材の直径と同等あるいは当該直径よりも大きいことが好ましい。あるいは、孔５０８は、針金状の部材の直径と同等の幅であって、フィルタ保持枠２１２に対する光学フィルタ２１１のスライド移動方向を長手方向とする長穴形状に開口していてもよい。
【００４４】
また、孔５０８は、マウント部材２１３に対するフィルタ保持枠２１２の挿入方向に光学フィルタガイド部材４０１を貫通した形状に限るものではなく、ガタつき防止部材２１４の両端部に引っかかって、当該両端部の光学フィルタガイド部材４０１に対する位置を固定できる程度に凹んだ形状であってもよい。ガタつき防止部材２１４は、両端部を孔５０８に嵌め込むことで、両端部の位置を基準として光学フィルタ２１１およびフィルタ保持枠ガイド部材５０４の間隔を広げるように、光学フィルタ２１１およびフィルタ保持枠ガイド部材５０４を付勢する。
【００４５】
このとき、ガタつき防止部材２１４における屈曲部分が、光軸に直交する面内におけるマウント部材２１３に対するフィルタ保持枠２１２の挿入方向に対して、それぞれ、角度θ１、θ２をもって傾斜しているため、たとえばフィルタ保持枠２１２やマウント部材２１３の製造精度のばらつきに起因して光学フィルタ２１１およびフィルタ保持枠ガイド部材５０４の間隔にばらつきがあった場合にも、光学フィルタ２１１およびフィルタ保持枠ガイド部材５０４の間でガタつき防止部材２１４を自在に弾性変形させ、光学フィルタ２１１およびフィルタ保持枠ガイド部材５０４を確実に付勢することができる。
【００４６】
この実施の形態１においては、光学フィルタ２１１側に向かって２カ所突出するとともにフィルタ保持枠ガイド部材５０４側に向かって１カ所突出した波形の形状からなるガタつき防止部材２１４としたが、ガタつき防止部材２１４の形状はこれに限るものではない。光学フィルタ２１１側に向かって突出する数、および、フィルタ保持枠ガイド部材５０４側に向かって突出する数は、それぞれ任意の数としてもよい。
【００４７】
図７は、この発明にかかる実施の形態１のガタつき防止部材の別の形状を示す説明図である。図７において、別の形状のガタつき防止部材７００は、光学フィルタ２１１側に向かって２カ所突出するとともに、フィルタ保持枠ガイド部材５０４側に向かって２カ所突出した波形の形状からなる。別の形状のガタつき防止部材７００は、光学フィルタ２１１側に向かって突出する２カ所の屈曲部分の間において、フィルタ保持枠ガイド部材５０４側に向かって２カ所突出している。
【００４８】
別の形状のガタつき防止部材７００においても、屈曲部分は、光軸に直交する面内におけるマウント部材２１３に対するフィルタ保持枠２１２の挿入方向に対して、それぞれ、角度θ３、θ４をもって傾斜している。これによって、たとえばフィルタ保持枠２１２やマウント部材２１３の製造精度のばらつきに起因して光学フィルタ２１１およびフィルタ保持枠ガイド部材５０４の間隔にばらつきがあった場合にも、光学フィルタ２１１およびフィルタ保持枠ガイド部材５０４の間でガタつき防止部材２１４を自在に弾性変形させ、光学フィルタ２１１およびフィルタ保持枠ガイド部材５０４を確実に付勢することができる。
【００４９】
以上説明したように、この実施の形態１の光学フィルタ保持機構２１０によれば、光路上に配置される光学フィルタ２１１と、光学フィルタ２１１を保持するフィルタ保持枠２１２と、フィルタ保持枠２１２を支持するマウント部材２１３と、光学フィルタ２１１とマウント部材２１３との間で、光学フィルタ２１１をフィルタ保持枠２１２に押しつける付勢力を作用させる付勢部材の一例としてのガタつき防止部材２１４と、を備えたことを特徴とするため、光学フィルタ２１１を付勢することによって、光学フィルタ２１１とともに当該光学フィルタ２１１を保持するフィルタ保持枠２１２を付勢することができ、これにより光学フィルタ２１１およびフィルタ保持枠２１２のマウント部材２１３に対する位置を固定することができる。
【００５０】
これによって、光学フィルタ２１１とマウント部材２１３との間にガタつき防止部材２１４を設けるという簡易な構成かつ容易な作業によって、光路に対する光学フィルタ２１１のガタつきを防止することができる。そして、光路に対する光学フィルタ２１１のガタつきを防止することによって、光路に対する光学フィルタ２１１のガタつきに起因する光学性能の低下を抑制することができる。
【００５１】
また、この実施の形態１の光学フィルタ保持機構２１０によれば、付勢部材の一例としてのガタつき防止部材２１４が、所定の弾性を有する弾性部材を、ガタつき防止部材２１４による付勢方向に沿って突出するように屈曲させることによって形成され、屈曲された一部がマウント部材２１３に当接し、別の一部が光学フィルタ２１１に当接するように設けられていることを特徴とするため、所定の弾性を有する弾性部材において屈曲された一部をマウント部材２１３と光学フィルタ２１１との間で変形させ、当該変形によって生じる復元力によって光学フィルタ２１１をフィルタ保持枠２１２に押しつける付勢力を作用させることができる。
【００５２】
このように、弾性部材を屈曲させるという簡易な構成によって実現されるガタつき防止部材２１４により、光学フィルタ保持機構２１０を大型化することなく、簡易な構成かつ容易な作業によって光路に対する光学フィルタ２１１のガタつきを防止することができる。そして、光路に対する光学フィルタ２１１のガタつきを防止することによって、光路に対する光学フィルタ２１１のガタつきに起因する光学性能の低下を抑制することができる。
【００５３】
また、この実施の形態１の光学フィルタ保持機構２１０によれば、ガタつき防止部材２１４が、光軸に交差する面内において、光軸に直交する方向に沿って突出するように屈曲されていることを特徴とするため、光軸に直交する方向において、光路に対する光学フィルタ２１１のガタつきを、簡易な構成によって実現されるガタつき防止部材２１４によって防止することができる。そして、光路に対する光学フィルタ２１１のガタつきを防止することによって、光路に対する光学フィルタ２１１のガタつきに起因する光学性能の低下を抑制することができる。
【００５４】
また、この実施の形態１の光学フィルタ保持機構２１０によれば、ガタつき防止部材２１４が、所定の直径の針金状部材を屈曲させることによって形成されていることを特徴とするため、ガタつき防止部材２１４を容易かつ簡易な構成によって実現することができる。そして、このように、光路に対する光学フィルタ２１１のガタつきを容易かつ簡易な構成によって防止することにより、光路に対する光学フィルタ２１１のガタつきに起因する光学性能の低下を容易かつ簡易な構成によって抑制することができる。
【００５５】
また、この発明にかかるレンズ装置１００は、光路上に配置される光学フィルタ２１１と、光学フィルタ２１１を保持するフィルタ保持枠２１２と、フィルタ保持枠２１２を支持するマウント部材２１３と、光学フィルタ２１１とマウント部材２１３との間で、光学フィルタ２１１をフィルタ保持枠２１２に押しつける付勢力を作用させる付勢部材の一例としてのガタつき防止部材２１４と、光路上に設けられて、外光を光学フィルタ２１１に入射させるレンズ３０１、３０２、３０３と、を備えたことを特徴とするため、光路に対する光学フィルタ２１１のガタつきを防止することによって安定した光学性能を発揮するレンズ装置１００を得ることができる。
【００５６】
また、この発明にかかる撮像装置は、撮像用の光電変換素子と、光電変換素子に外光を入射させるレンズ装置１００と、を備えたことを特徴とするため、光路に対する光学フィルタ２１１のガタつきを防止することにより安定した光学性能を発揮する撮像装置を得ることができる。
【００５７】
（実施の形態２）
つぎに、この発明にかかる実施の形態２の光学フィルタ保持機構２１０について説明する。この発明にかかる実施の形態２においては、実施の形態１と同一部分は同一符号を用いて示し、説明を省略する。図８、図９および図１０は、この発明にかかる実施の形態２の光学フィルタ保持機構を示す説明図である。図８においては、この発明にかかる実施の形態２の光学フィルタ保持機構を対物側から見た斜視状態を示している。図９においては、この発明にかかる実施の形態２の光学フィルタ保持機構を分解して対物側から見た斜視状態を示している。図１０においては、この発明にかかる実施の形態２の光学フィルタ保持機構を対物側から見た平面図を示している。
【００５８】
図８、図９および図１０において、この発明にかかる実施の形態２の光学フィルタ保持機構８００は、フィルタ保持枠８０１が備える光学フィルタガイド部材８０２によって、光学フィルタ２１１をフィルタ保持枠８０１に取り付けている。光学フィルタガイド部材８０２は、フィルタ保持枠本体５０１に設けられている。光学フィルタガイド部材８０２は、開口５０２の外周側において、開口５０２を囲むようにしてフィルタ保持枠本体５０１から突出した形状からなる。光学フィルタガイド部材８０２には、光学フィルタガイド部材８０２を光軸に直交する方向に貫通するスリット９０１、９０２、９０３が設けられている。
【００５９】
また、光学フィルタ保持機構８００は、ガタつき防止部材８０３を備えている。ガタつき防止部材８０３は、金属材料によって形成された針金状の部材を、光軸方向に沿って見た場合の外形が略四角形状をなすように屈曲させることによって形成されている。ガタつき防止部材８０３は、略四角形状をなすように屈曲させることによって形成された３つの角部９０４、９０５を備えている。ガタつき防止部材８０３において、略四角形状における４つめの角部に相当する位置には、ガタつき防止部材８０３をなす針金状の部材の両端部９０６が設けられている。両端部９０６は、それぞれ、略四角形状の外方に屈曲されている。
【００６０】
ガタつき防止部材８０３における３つの角部９０４、９０５は、光学フィルタガイド部材８０２が備えるスリット９０１、９０２にそれぞれ挿入されている。ガタつき防止部材８０３は、ガタつき防止部材８０３における両端部９０６とは対角に位置する角部９０４が、図８、図９および図１０における紙面下側に位置する光学フィルタガイド部材８０２が備えるスリット９０３を通過して、図８、図９および図１０における紙面上側に位置する光学フィルタガイド部材８０２が備えるスリット９０１に挿入されるようにしてフィルタ保持枠８０１に固定される。
【００６１】
ガタつき防止部材８０３における両端部９０６は、紙面下側に位置する光学フィルタガイド部材８０２が備えるスリット９０３よりも大きく広がっている。これによって、ガタつき防止部材８０３のフィルタ保持枠８０１への取り付け時に、ガタつき防止部材８０３における両端部９０６が紙面下側の光学フィルタガイド部材８０２に確実に引っかかるので、ガタつき防止部材８０３を安定して取り付けることができる。
【００６２】
図１１は、この発明にかかる実施の形態２のガタつき防止部材８０３の取り付け状態を示す説明図である。図１１において、フィルタ保持枠８０１に取り付けられた状態にあるガタつき防止部材８０３は、光軸に向かって外形が収縮するような状態とされている。すなわち、ガタつき防止部材８０３における３つの角部９０４、９０５および両端部９０６は、それぞれ、スリット９０１、９０２、９０３を押し広げるような状態で光学フィルタガイド部材８０２に当接している。これにより、外周方向におけるガタつき防止部材８０３の位置を安定化することができる。
【００６３】
図１２および図１３は、この発明にかかる実施の形態２のガタつき防止部材８０３の形状および取り付け状態を示す説明図である。図１２においては、この発明にかかる実施の形態２の光学フィルタ保持機構８００の一部を光軸に平行な平面で切断し、その断面を当該断面に正対する位置（側方）から見た状態を示している。図１３においては、この発明にかかる実施の形態２の光学フィルタ保持機構８００が備えるガタつき防止部材８０３を、光軸に直交する方向（図１２と同じ方向）から見た状態を示している。
【００６４】
図１２および図１３において、この発明にかかる実施の形態２の光学フィルタ保持機構８００が備えるガタつき防止部材８０３は、光軸方向において、接眼側および対物側に突出するように交互に屈曲した波形の形状からなる。対物側に突出するように屈曲した屈曲部分の先端は、光学フィルタ２１１に当接している。ガタつき防止部材８０３における３つの角部９０４、９０５はそれぞれ対物側に突出した状態で屈曲しており、ガタつき防止部材８０３は各スリット９０１、９０２内において光学フィルタガイド部材８０２にスリット９０１、９０２の内側から当接している。
【００６５】
ガタつき防止部材８０３が光学フィルタガイド部材８０２に当接することにより、ガタつき防止部材８０３に対しては光学フィルタガイド部材８０２からの反力が作用し、ガタつき防止部材８０３における３つの角部９０４、９０５あるいはその近傍を接眼側方向へ付勢する付勢力が作用している。これによって、光軸方向におけるガタつき防止部材８０３の位置を安定化することができる。
【００６６】
以上説明したように、この実施の形態２の光学フィルタ保持機構８００によれば、ガタつき防止部材８０３が、光軸に交差する面内における任意の一方向および光軸方向に沿ってそれぞれ突出するように屈曲させることによって形成されていることを特徴とするため、光軸に交差する面内における任意の一方向および光軸方向の２つの方向において、光路に対する光学フィルタ２１１のガタつきを、簡易な構成によって実現されるガタつき防止部材８０３によって確実に防止することができる。
【００６７】
そして、このように、光路に対する光学フィルタ２１１のガタつきを確実に防止することによって、光路に対する光学フィルタ２１１のガタつきに起因する光学性能の低下を効果的に抑制することができる。これによって、安定した光学性能を発揮するレンズ装置１００を、簡易な構成かつ容易な作業によって得ることができる。
【００６８】
（実施の形態３）
つぎに、この発明にかかる実施の形態３の光学フィルタ保持機構８００について説明する。この発明にかかる実施の形態３においては、実施の形態１、２と同一部分は同一符号を用いて示し、説明を省略する。図１４、図１５、図１６、図１７および図１８は、この発明にかかる実施の形態３の光学フィルタ保持機構を示す説明図である。図１４においては、この発明にかかる実施の形態３の光学フィルタ保持機構を対物側から見た斜視状態を示している。図１５においては、この発明にかかる実施の形態３の光学フィルタ保持機構を分解して対物側から見た斜視状態を示している。図１６においては、この発明にかかる実施の形態３の光学フィルタ保持機構を、図１４における矢印Ｂ方向から見た状態を示している。
【００６９】
図１７および図１８においては、この発明にかかる実施の形態３の光学フィルタ保持機構の一部を光軸に平行であって互いに直交する平面で切断し、それぞれ、その断面を当該断面に正対する位置（側方）から見た状態を示している。図１７においては、この発明にかかる実施の形態３の光学フィルタ保持機構の断面を、図１４における矢印Ａ方向から見た状態を示している。図１８においては、この発明にかかる実施の形態３の光学フィルタ保持機構の断面を、図１４における矢印Ｂ方向から見た状態を示している。
【００７０】
図１４、図１５、図１６、図１７および図１８において、この発明にかかる実施の形態３の光学フィルタ保持機構１４００は、フィルタ保持枠１４０１が備える光学フィルタガイド部材１４０２によって、フィルタ保持枠１４０１に対する光学フィルタ２１１の位置を既定している。光学フィルタガイド部材１４０２は、フィルタ保持枠本体５０１に設けられている。光学フィルタガイド部材１４０２は、開口５０２の外周側においてフィルタ保持枠本体５０１から突出し、光学フィルタ２１１の端部を覆うように先端が屈曲した形状からなる。
【００７１】
光学フィルタガイド部材１４０２の先端は、互いに対向する光学フィルタガイド部材１４０２側、すなわち開口５０２側に屈曲している。光学フィルタガイド部材１４０２は、光軸に直交する面内において、光学フィルタを間にして対向配置されている。光学フィルタガイド部材１４０２は、光軸に直交する面内において、フィルタ保持枠ガイド部材５０４の対向方向と平行な方向において対向している。
【００７２】
フィルタ保持枠１４０１は、マウント部材２１３が備えるフィルタ保持枠ガイド部材５０４によってマウント部材２１３に取り付けられている。フィルタ保持枠１４０１は、フィルタ保持枠１４０１の外周側の端部を、フィルタ保持枠ガイド部材５０４における屈曲した先端部に引っかけることによって光軸方向への移動が規制されている。
【００７３】
フィルタ保持枠ガイド部材５０４の先端部は、互いに対向するフィルタ保持枠ガイド部材５０４側、すなわち開口５０６側に屈曲している。フィルタ保持枠ガイド部材５０４は、光軸に直交する面内において、光学フィルタガイド部材１４０２の対向方向に平行な方向において対向している。これにより、フィルタ保持枠１４０１に対する光学フィルタ２１１の挿入方向と、マウント部材２１３に対するフィルタ保持枠１４０１の挿入方向と、を等しく（平行に）することができる。
【００７４】
光学フィルタ２１１は、光軸方向において、光学フィルタガイド部材１４０２とフィルタ保持枠本体５０１との間に設けられている。さらに、光学フィルタ２１１とフィルタ保持枠本体５０１との間には、この発明にかかる実施の形態３の光学フィルタ保持機構１４００が備えるガタつき防止部材１５０１が設けられている。ガタつき防止部材１５０１は、光軸方向において、接眼側に突出するように屈曲した屈曲部１５０２を備える。屈曲部１５０２の先端は、フィルタ保持枠本体５０１に設けられたスリット１７０１を介して、フィルタ保持枠本体５０１よりも接眼側に突出している。
【００７５】
図１９は、フィルタ保持枠１４０１を示す説明図である。図１９においては、フィルタ保持枠１４０１を光軸方向において接眼側から見た状態を示している。図１９において、フィルタ保持枠１４０１が備えるスリット１７０１は、フィルタ保持枠１４０１に対する光学フィルタ２１１の挿入方向と平行な方向を長手方向とする長穴形状からなる。スリット１７０１は、開口５０２を間にして２つ設けられており、フィルタ保持枠本体５０１を板厚方向に貫通している。これにより、ガタつき防止部材１５０１は、開口５０２を間にした両側において、フィルタ保持枠１４０１を貫通してマウント部材２１３に当接している。ガタつき防止部材１５０１をフィルタ保持枠１４０１を貫通してマウント部材２１３に当接させることにより、フィルタ保持枠１４０１に対するガタつき防止部材１５０１の外周方向におけるガタつきを防止することができる。
【００７６】
ガタつき防止部材１５０１は、光学フィルタ２１１とマウント部材本体５０５との間において、光学フィルタ２１１を光学フィルタガイド部材１４０２に接眼側から当接させるとともに、光学フィルタ２１１をフィルタ保持枠本体５０１から離反させる方向に付勢する付勢力を光学フィルタ２１１に対して作用させている。また、ガタつき防止部材１５０１は、フィルタ保持枠１４０１をマウント部材本体５０５から離反させるような付勢力をフィルタ保持枠１４０１に対して作用させている。
【００７７】
フィルタ保持枠１４０１は、フィルタ保持枠ガイド部材５０４において屈曲した先端部に外周側の端部を引っかけた状態とされているため、結果としてガタつき防止部材１５０１の付勢力によって屈曲した先端部に押しつけられるように付勢される。これによって、フィルタ保持枠１４０１の光軸方向におけるガタつきが抑制され、フィルタ保持枠１４０１に保持されている光学フィルタ２１１の光軸方向におけるガタつきを防止することができる。
【００７８】
ガタつき防止部材１５０１の両端部１５０３は、フィルタ保持枠１４０１に対する光学フィルタ２１１の挿入方向後方側に設けられている。両端部１５０３は、光軸方向に平行になるように、光軸に直交する平面に交差する方向に屈曲されている。これにより、フィルタ保持枠１４０１におけるフィルタ保持枠ガイド部材５０４に挿入されるガタつき防止部材１５０１の位置決めをおこない、挿入方向におけるガタつき防止部材１５０１の位置を良好に定めることができる。
【００７９】
以上説明したように、この実施の形態３の光学フィルタ保持機構１４００によれば、ガタつき防止部材１５０１が、光軸方向に沿って突出するように屈曲させることによって形成されていることを特徴とするため、光軸に交差する面内において、光路に対する光学フィルタ２１１のガタつきを、簡易な構成によって実現されるガタつき防止部材１５０１によって防止することができる。そして、光路に対する光学フィルタ２１１のガタつきを防止することによって、光路に対する光学フィルタ２１１のガタつきに起因する光学性能の低下を抑制することができる。
【００８０】
また、この実施の形態３の光学フィルタ保持機構１４００によれば、ガタつき防止部材１５０１における屈曲部１５０２が、スリット１７０１を介してマウント部材２１３に当接しているため、マウント部材２１３と屈曲部１５０２との間に作用する摩擦によってフィルタ保持枠１４０１に対するガタつき防止部材１５０１の外周方向におけるガタつきを防止することができる。これによって、ガタつき防止部材１５０１によって付勢される光学フィルタ２１１の光路に対するガタつきを防止することができる。そして、光路に対する光学フィルタ２１１のガタつきを防止することによって、光路に対する光学フィルタ２１１のガタつきに起因する光学性能の低下を抑制することができる。
【００８１】
（実施の形態４）
つぎに、この発明にかかる実施の形態４の光学フィルタ保持機構について説明する。この発明にかかる実施の形態４においては、実施の形態１、２、３と同一部分は同一符号を用いて示し、説明を省略する。図２０、図２１、図２２、図２３および図２４は、この発明にかかる実施の形態４の光学フィルタ保持機構を示す説明図である。図２０においては、この発明にかかる実施の形態４の光学フィルタ保持機構を対物側から見た斜視状態を示している。図２１においては、この発明にかかる実施の形態４の光学フィルタ保持機構を分解して対物側から見た斜視状態を示している。図２２においては、この発明にかかる実施の形態４の光学フィルタ保持機構を、図２０における矢印Ｂ方向から見た状態を示している。
【００８２】
図２３および図２４においては、この発明にかかる実施の形態４の光学フィルタ保持機構の一部を光軸に平行であって互いに直交する平面で切断し、それぞれ、その断面を当該断面に正対する位置（側方）から見た状態を示している。図２３においては、この発明にかかる実施の形態４の光学フィルタ保持機構の断面を、図２０における矢印Ａ方向から見た状態を示している。図２４においては、この発明にかかる実施の形態４の光学フィルタ保持機構の断面を、図２０における矢印Ｂ方向から見た状態を示している。
【００８３】
図２０、図２１、図２２、図２３および図２４において、この発明にかかる実施の形態４の光学フィルタ保持機構２０００は、実施の形態３の光学フィルタ保持機構１４００と比較して、ガタつき防止部材の形状が異なっている。この実施の形態４において、フィルタ保持枠１４０１に対する光学フィルタ２１１の位置は、フィルタ保持枠１４０１が備える光学フィルタガイド部材１４０２によって定められる。
【００８４】
この発明にかかる実施の形態４の光学フィルタ保持機構２０００は、光学フィルタ２１１とフィルタ保持枠本体５０１との間に設けられたガタつき防止部材２１０１を備えている。ガタつき防止部材２１０１は、光軸方向において、接眼側に突出するように屈曲した屈曲部２１０２を備えている。ガタつき防止部材２１０１において、屈曲部２１０２は、マウント部材本体５０５に対して２カ所で当接するように、接眼側に向かって２カ所に設けられており、これによってガタつき防止部材２１０１は波形の形状をなしている。屈曲部２１０２は、ともに、フィルタ保持枠本体５０１に設けられたスリット１７０１を貫通してマウント部材本体５０５に当接されている。
【００８５】
図２５は、この発明にかかる実施の形態４の光学フィルタ保持機構２０００が備えるフィルタ保持枠１４０１を示す説明図である。図２５においては、フィルタ保持枠１４０１を光軸方向において接眼側から見た状態を示している。図２５において、フィルタ保持枠１４０１は、フィルタ保持枠１４０１に対する光学フィルタ２１１の挿入方向と平行な方向を長手方向とするスリット１７０１を備えている。スリットは、開口５０２を間にして２つ設けられており、それぞれが、接眼側に向かって突出する２カ所の屈曲部２１０２を、マウント部材本体５０５側に案内している。
【００８６】
これにより、ガタつき防止部材２１０１は、開口５０２を間にした両側において、フィルタ保持枠１４０１を貫通してマウント部材２１３に当接している。ガタつき防止部材２１０１をフィルタ保持枠１４０１を貫通してマウント部材２１３に当接させることにより、フィルタ保持枠１４０１に対するガタつき防止部材２１０１の外周方向におけるガタつきを防止することができる。
【００８７】
ガタつき防止部材２１０１は、光学フィルタ２１１とマウント部材本体５０５との間において、光学フィルタ２１１を光学フィルタガイド部材１４０２に接眼側から当接させるとともに、光学フィルタ２１１をフィルタ保持枠本体５０１から離反させる方向に付勢する付勢力を光学フィルタ２１１に対して作用させている。また、ガタつき防止部材２１０１は、フィルタ保持枠１４０１をマウント部材本体５０５から離反させるような付勢力をフィルタ保持部材に対して作用させている。
【００８８】
フィルタ保持枠１４０１は、フィルタ保持枠ガイド部材５０４における屈曲した先端部に外周側の端部を引っかけた状態とされているため、結果としてガタつき防止部材２１０１の付勢力によって屈曲した先端部に押しつけられるように付勢される。これによって、フィルタ保持枠１４０１の光軸方向におけるガタつきが防止され、フィルタ保持枠１４０１に保持されている光学フィルタ２１１の光軸方向におけるガタつきを防止することができる。
【００８９】
以上説明したように、この実施の形態４の光学フィルタ保持機構２０００によれば、ガタつき防止部材２１０１が、光軸方向に沿って突出するように屈曲させることによって形成されていることを特徴とするため、光軸に交差する面内において、光路に対する光学フィルタ２１１のガタつきを、簡易な構成によって実現されるガタつき防止部材２１０１によって防止することができる。そして、光路に対する光学フィルタ２１１のガタつきを防止することによって、光路に対する光学フィルタ２１１のガタつきに起因する光学性能の低下を抑制することができる。
【００９０】
また、この実施の形態４の光学フィルタ保持機構２０００によれば、ガタつき防止部材２１０１における屈曲部２１０２が、スリット１７０１を介してマウント部材２１３に複数箇所（この実施の形態４においては２箇所）において当接しているため、１箇所で当接する場合と比較してマウント部材２１３と屈曲部２１０２との間に作用する摩擦力を高めることができ、フィルタ保持枠１４０１に対するガタつき防止部材２１０１の外周方向におけるガタつきを確実に防止することができる。
【００９１】
これによって、ガタつき防止部材２１０１によって付勢される光学フィルタ２１１の光路に対するガタつきを防止することができる。そして、光路に対する光学フィルタ２１１のガタつきを防止することによって、光路に対する光学フィルタ２１１のガタつきに起因する光学性能の低下を抑制することができる。
【産業上の利用可能性】
【００９２】
以上のように、本発明にかかる光学フィルタ保持機構、レンズ装置および撮像装置は、光学フィルタを保持する光学フィルタ保持機構、当該光学フィルタ保持機構を備えたレンズ装置、および、当該レンズ装置を搭載する撮像装置に有用であり、特に、小型化が要求される光学フィルタ保持機構、レンズ装置および撮像装置に適している。
【図面の簡単な説明】
【００９３】
【図１】この発明にかかる実施の形態１のレンズ装置を示す説明図（その１）である。
【図２】この発明にかかる実施の形態１のレンズ装置を示す説明図（その２）である。
【図３】この発明にかかる実施の形態１のレンズ装置を示す説明図（その３）である。
【図４】この発明にかかる実施の形態１の光学フィルタ保持機構を示す説明図（その１）である。
【図５】この発明にかかる実施の形態１の光学フィルタ保持機構を示す説明図（その２）である。
【図６】この発明にかかる実施の形態１の光学フィルタ保持機構を示す説明図（その３）である。
【図７】この発明にかかる実施の形態１のガタつき防止部材の別の形状を示す説明図である。
【図８】この発明にかかる実施の形態２の光学フィルタ保持機構を示す説明図（その１）である。
【図９】この発明にかかる実施の形態２の光学フィルタ保持機構を示す説明図（その２）である。
【図１０】この発明にかかる実施の形態２の光学フィルタ保持機構を示す説明図（その３）である。
【図１１】この発明にかかる実施の形態２のガタつき防止部材の取り付け状態を示す説明図である。
【図１２】この発明にかかる実施の形態２のガタつき防止部材の形状および取り付け状態を示す説明図（その１）である。
【図１３】この発明にかかる実施の形態２のガタつき防止部材の形状および取り付け状態を示す説明図（その２）である。
【図１４】この発明にかかる実施の形態３の光学フィルタ保持機構を示す説明図（その１）である。
【図１５】この発明にかかる実施の形態３の光学フィルタ保持機構を示す説明図（その２）である。
【図１６】この発明にかかる実施の形態３の光学フィルタ保持機構を示す説明図（その３）である。
【図１７】この発明にかかる実施の形態３の光学フィルタ保持機構を示す説明図（その４）である。
【図１８】この発明にかかる実施の形態３の光学フィルタ保持機構を示す説明図（その５）である。
【図１９】フィルタ保持枠を示す説明図である。
【図２０】この発明にかかる実施の形態４の光学フィルタ保持機構を示す説明図（その１）である。
【図２１】この発明にかかる実施の形態４の光学フィルタ保持機構を示す説明図（その２）である。
【図２２】この発明にかかる実施の形態４の光学フィルタ保持機構を示す説明図（その３）である。
【図２３】この発明にかかる実施の形態４の光学フィルタ保持機構を示す説明図（その４）である。
【図２４】この発明にかかる実施の形態４の光学フィルタ保持機構を示す説明図（その５）である。
【図２５】この発明にかかる実施の形態４の光学フィルタ保持機構が備えるフィルタ保持枠を示す説明図である。
【符号の説明】
【００９４】
１００  レンズ装置
２１０  光学フィルタ保持機構
２１１  光学フィルタ
２１２  フィルタ保持枠
２１３  マウント部材
７００  ガタつき防止部材
８００  光学フィルタ保持機構
８０１  フィルタ保持枠
８０２  光学フィルタガイド部材
８０３  ガタつき防止部材
９０１、９０２、９０３  スリット
９０４、９０５  角部
９０６  両端部
１４００  光学フィルタ保持機構
１４０１  フィルタ保持枠
１５０１  ガタつき防止部材
２０００  光学フィルタ保持機構
２１０１  ガタつき防止部材
２１０２  屈曲部
【図１】
2010032831.tif 000003
【図２】
2010032831.tif 000004
【図３】
2010032831.tif 000005
【図４】
2010032831.tif 000006
【図５】
2010032831.tif 000007
【図６】
2010032831.tif 000008
【図７】
2010032831.tif 000009
【図８】
2010032831.tif 000010
【図９】
2010032831.tif 000011
【図１０】
2010032831.tif 000012
【図１１】
2010032831.tif 000013
【図１２】
2010032831.tif 000014
【図１３】
2010032831.tif 000015
【図１４】
2010032831.tif 000016
【図１５】
2010032831.tif 000017
【図１６】
2010032831.tif 000018
【図１７】
2010032831.tif 000019
【図１８】
2010032831.tif 000020
【図１９】
2010032831.tif 000021
【図２０】
2010032831.tif 000022
【図２１】
2010032831.tif 000023
【図２２】
2010032831.tif 000024
【図２３】
2010032831.tif 000025
【図２４】
2010032831.tif 000026
【図２５】
2010032831.tif 000027